【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
フォーカスレンズを介して入力される被写体像を撮像して画像データを出力する撮像手段と、
前記画像データに基づき前記フォーカスレンズの位置を制御して焦点調節を行う焦点調節手段と、
前記画像データに基づいて被写体像の動きを検出する動き検出手段とを有し、
前記焦点調節手段は、前記動き検出手段により被写体像の動きが検出されなかった場合には第１の焦点調節動作を行うように制御し、前記動き検出手段により被写体像の動きが検出された場合には前記第１の焦点調節動作とは異なる第２の焦点調節動作を行うように制御することを特徴とする焦点調節装置。
【請求項２】
前記焦点調節手段は、前記第１の焦点調節動作においては、前記フォーカスレンズを所定量移動させる毎に、前記フォーカスレンズの次回の移動方向を決定し、前記第２の焦点調節動作においては、過去に検出した合焦位置に基づく移動範囲内で前記フォーカスレンズを移動させることを特徴とする請求項１に記載の焦点調節装置。
【請求項３】
前記焦点調節手段は、前記第２の焦点調節動作では、前記第１の焦点調節動作よりも単位時間あたりの前記フォーカスレンズの移動量を多くすることを特徴とする請求項１又は２に記載の焦点調節装置。
【請求項４】
前記動き検出手段は、前記画像データから被写体の顔を検出し、当該顔の変化を判定することによって被写体像の動きを検出することを特徴とする請求項１乃至３の何れか１項に記載の焦点調節装置。
【請求項５】
前記顔の変化とは、被写体の顔の位置又は大きさの変化であることを特徴とする請求項４に記載の焦点調節装置。
【請求項６】
前記動き検出手段は、被写体の顔の位置又は大きさが所定回数以上、同方向に所定量以上連続して変化した場合に被写体像の動きを検出することを特徴とする請求項５に記載の焦点調節装置。
【請求項７】
前記動き検出手段は、光学ズーム動作中は被写体像の動きを検出しないことを特徴とする請求項１乃至６の何れか１項に記載の焦点調節装置。
【請求項８】
前記動き検出手段は、電子ズーム動作中は被写体像の動きを検出しないことを特徴とする請求項１乃至７の何れか１項に記載の焦点調節装置。
【請求項９】
前記焦点調節手段は、前記画像データの輝度が所定の値以下である場合、前記第２の焦点調節動作は行わず、前記第１の焦点調節動作を行うことを特徴とする請求項１乃至８の何れか１項に記載の焦点調節装置。
【請求項１０】
前記動き検出手段による被写体像の動き検出結果に基づいて、被写体が動いているか否かを示す情報を表示部に表示させる表示制御手段を更に有することを特徴とする請求項１乃至９の何れか１項に記載の焦点調節装置。
【請求項１１】
フォーカスレンズを介して入力される被写体像を撮像して得られた画像データに基づいて、被写体像の動きを検出する動き検出ステップと、
前記画像データに基づき前記フォーカスレンズの位置を制御して焦点調節を行う焦点調節ステップであって、前記動き検出ステップにより被写体像の動きが検出されなかった場合には第１の焦点調節動作を行い、前記動き検出ステップにより被写体像の動きが検出された場合には前記第１の焦点調節動作とは異なる第２の焦点調節動作を行うように制御する焦点調節ステップとを有することを特徴とする焦点調節方法。
【請求項１２】
フォーカスレンズを介して入力される被写体像を撮像して得られた画像データに基づいて、被写体像の動きを検出する動き検出ステップと、
前記画像データに基づき前記フォーカスレンズの位置を制御して焦点調節を行う焦点調節ステップであって、前記動き検出ステップにより被写体像の動きが検出されなかった場合には第１の焦点調節動作を行い、前記動き検出ステップにより被写体像の動きが検出された場合には前記第１の焦点調節動作とは異なる第２の焦点調節動作を行うように制御する焦点調節ステップとをコンピュータに実行させるためのプログラム。
【手続補正２】
【補正対象書類名】明細書
【補正対象項目名】発明の名称
【補正方法】変更
【補正の内容】
【発明の名称】焦点調節装置、焦点調節方法及びプログラム
【手続補正３】
【補正対象書類名】明細書
【補正対象項目名】０００１
【補正方法】変更
【補正の内容】
【０００１】
本発明は、フォーカスレンズを介して入力される被写体像を撮像して得られた画像データに基づく焦点調節の技術に関するものである。
【手続補正４】
【補正対象書類名】明細書
【補正対象項目名】００１０
【補正方法】変更
【補正の内容】
【００１０】
本発明の技術的特徴として、フォーカスレンズを介して入力される被写体像を撮像して得られた画像データに基づいて、被写体像の動きを検出する動き検出ステップと、前記画像データに基づき前記フォーカスレンズの位置を制御して焦点調節を行う焦点調節ステップであって、前記動き検出ステップにより被写体像の動きが検出されなかった場合には第１の焦点調節動作を行い、前記動き検出ステップにより被写体像の動きが検出された場合には前記第１の焦点調節動作とは異なる第２の焦点調節動作を行うように制御する焦点調節ステップとを有することを特徴とする。
【手続補正５】
【補正対象書類名】明細書
【補正対象項目名】００１５
【補正方法】変更
【補正の内容】
【００１５】
図２は、本発明の第１の実施形態に係る電子カメラの動作を表すフローチャートである。まずメインスイッチ１１７がＯＮになると、ステップ２０１へと進む。ステップ２０１において、システム制御部１１２は、後述する図３のフローチャートに従って主被写体の変化判断を行い、ステップ２０２へと進む。ステップ２０２において、システム制御部１１２は、輝度が所定値以下か否かを判定する。輝度が所定値以下であればステップ２０７へ進み、輝度が所定値以下でなければステップ２０３へと進む。これにより、後述するサーボＡＦにおいて必要なＡＦ精度が得られない低照度条件時にサーボＡＦを行わずコンティニュアスＡＦを行うようにすることができる。ステップ２０３において、システム制御部１１２は、ステップ２０１のサブルーチンで判断した結果、主被写体が動いていると判定されたか否かを判定する。主被写体が動いていると判定された場合、ステップ２０４へと進み、そうでなければステップ２０７へと進む。ステップ２０４において、システム制御部１１２は、主被写体が動いていることを示す動きアイコンを画面内の所定位置に表示して、ステップ２０５へと進む。ステップ２０５において、システム制御部１１２は、後述する図７のフローチャートに従いサーボＡＦを行ってステップ２０９へと進む。ステップ２０７において、システム制御部１１２は、画面内の所定位置に主被写体が動いていることを示す動きアイコンが表示されていれば、非表示にしてステップ２０８へと進む。ステップ２０８において、システム制御部１１２は、後述する図６のフローチャートに従いコンティニュアスＡＦを行ってステップ２０９へと進む。なお、ステップ２０５、ステップ２０８及びステップ２０１における主被写体（被写体像）の変化（動き）検出結果に応じてステップ２０５又はステップ２０８の処理を制御する処理は、本発明の焦点調節手段の処理例であり、ステップ２０１は、本発明の動き検出手段の処理例である。さらに、コンティニュアスＡＦは、本発明の第１の焦点調節動作の適用例となる処理であり、サーボＡＦは、本発明の第２の焦点調節動作の適用例となる処理である。